(57)【要約】【課題】スパッタが付着し難くなるとともに、付着したスパッタの付着力を弱くすることができるスパッタ除去方法及びクリーナ装置を提供することを提供すること。【解決手段】シールドノズル５、２５又はコンタクトチップ２６に付着したスパッタを除去した後、シールドノズル５、２５又はコンタクトチップ２６をスパッタの付着防止液１５に浸けて付着防止液１５を塗布した。またシールドノズル５、２５、コンタクトチップ２６に付着したスパッタを除去するクリーナ１と、スパッタを除去したシールドノズル５、２５、コンタクトチップ２６に付着防止液１５を塗布するための付着防止液部１４を設けた。【選択図】図１
2019072767.tif 000002
【特許請求の範囲】
【請求項１】
シールドノズル又はコンタクトチップに付着したスパッタを除去した後、シールドノズル又はコンタクトチップをスパッタの付着防止液に浸けて付着防止液を塗布することを特徴としたスパッタ除去方法。
【請求項２】
トーチに取付けられたシールドノズルとコンタクトチップを、前記のようにスパッタを除去した後、スパッタ付着防止液に浸けて付着防止液を塗布することを特徴とした請求項１に記載のスパッタ除去方法。
【請求項３】
前記シールドノズルとコンタクトチップに過剰に塗布された前記付着防止液を液吸着部にて吸着させることを特徴とした請求項１又は請求項２に記載のスパッタ除去方法。
【請求項４】
シールドノズル、コンタクトチップに付着したスパッタを除去するクリーナと、スパッタを除去したシールドノズル、コンタクトチップに付着防止液を塗布するための付着防止液部を設けたことを特徴とするクリーナ装置。
【請求項５】
前記シールドノズル、コンタクトチップに塗布された前記付着防止液を吸着するための液吸着部を設けたことを特徴とする請求項４記載のクリーナ装置。
【発明の詳細な説明】
【技術分野】
【０００１】  本発明はガスシールドアーク溶接に用いられるシールドノズル、コンタクトチップに付着するスパッタを除去するとともに、スパッタを除去したシールドノズル、コンタクトチップにスパッタの付着防止処理を施すスパッタ除去方法及びクリーナ装置に関するものである。
【背景技術】
【０００２】  従来、シールドノズルのクリーナ装置として図４に示すようにシールドノズル５０の内径より若干小径の、スパッタ除去用パイプである研磨部材５１と、シールドノズル５０の外径より若干大径で研磨部材５１より長いノズル誘導、保持用パイプ５２とを、基板５３に同心円上に固定し、シールドノズル５０を先端から誘導、保持パイプ５２内に押込み、シールドノズル５０の先端が基板５３の面に到達したら引抜くことにより、シールドノズル５０に付着したスパッタを、研磨部材５１にて除去していた。（例えば、特許文献１参照）【０００３】
【先行技術文献】
【特許文献】
【０００４】
【特許文献１】特開平７−００１１４５公報
【発明の概要】
【発明が解決しようとする課題】
【０００５】  前記のものでは、シールドノズル５０からスパッタを除去することはできるが、スパッタの付着を防止するための加工は施せないので、スパッタが付着し易く、また、スパッタが強固に付着しているので、スパッタの除去作業に強い力が必要であるという問題があった。【０００６】  本発明は、前記の問題を解決し、スパッタが付着し難くなるとともに、付着したスパッタの付着力を弱くすることができるスパッタ除去方法及びクリーナ装置を提供することを目的になされたものである。
【発明の概要】
【課題を解決するための手段】
【０００７】  上記課題を解決するためになされた請求項１に記載の発明はシールドノズル又はコンタクトチップに付着したスパッタを除去した後、シールドノズル又はコンタクトチップをスパッタの付着防止液に浸けて付着防止液を塗布することを特徴とした。【０００８】  請求項２に記載の発明はトーチに取付けられたシールドノズルとコンタクトチップを、前記のようにスパッタを除去した後、スパッタ付着防止液に浸けて付着防止液を塗布することを特徴とする。【０００９】  請求項３に記載の発明は請求項１又は請求項２に記載の発明において、前記シールドノズルとコンタクトチップに過剰に塗布された前記付着防止液を液吸着部にて吸着させることを特徴とする。【００１０】  請求項４に記載の発明はシールドノズル、コンタクトチップに付着したスパッタを除去するクリーナと、スパッタを除去したシールドノズル、コンタクトチップに付着防止液を塗布するための付着防止液部を設けたことを特徴とする。【００１１】  請求項５に記載の発明は請求項４に記載の発明において、前記シールドノズル、コンタクトチップに塗布された前記付着防止液を吸着するための液吸着部を設けたことを特徴とする
【発明の効果】
【００１２】  請求項１の発明では、シールドノズル又はコンタクトチップに付着したスパッタを除去した後、シールドノズル又はコンタクトチップをスパッタの付着防止液に浸けて付着防止液を塗布することによりシールドノズル又はコンタクトチップからスパッタを除去した後、直ちに付着防止液を塗布することができるので、常に簡単に付着防止処理を施すことができ、シールドノズル、コンタクトチップ等のスパッタ除去作業の間隔を長くすることができるとともに、スパッタの付着力も小さいのでスパッタ除去作業も弱い力で簡単にできる。【００１３】  請求項２の発明では、トーチに取付けられたシールドノズルとコンタクトチップを、前記のようにスパッタを除去した後、スパッタ付着防止液に浸けて付着防止液を塗布することによりシールドノズルとコンタクトチップを同時に処理できる。【００１４】  請求項３の発明では、シールドノズルとコンタクトチップに過剰に塗布された前記付着防止液を液吸着部にて吸着させるので、シールドノズル、コンタクトチップに塗布された余分のスパッタ付着防止液を吸着させて簡単に除去することができる。【００１５】  請求項４の発明では、シールドノズル、コンタクトチップに付着したスパッタを除去するクリーナと、スパッタを除去したシールドノズル、コンタクトチップに付着防止液を塗布するための付着防止液部を設けたので、常に簡単に付着防止処理を施すことができ、シールドノズル、コンタクトチップ等のスパッタ除去作業の間隔を長くすることができるとともに、スパッタの付着力も小さいのでスパッタ除去作業も弱い力で簡単にできる。【００１６】  請求項５の発明では、前記シールドノズル、コンタクトチップに塗布された前記付着防止液を吸着するための液吸着部を設けたので、シールドノズル、コンタクトチップに塗布された余分のスパッタ付着防止液を吸着させて簡単に除去することができる。
【図面の簡単な説明】
【００１７】
【図１】本発明の第１の実施の形態を示す正面図である。
【図２】図１の平面図である。
【図３】図１のクリーナの使用方法の説明図であり、（イ）はシールドノズルを押込む前の状態の図であり、（ロ）はシールドノズルを押込んだ状態の図である。
【図４】第２の実施の形態を示す正面図である。
【図５】図４の平面図である。
【図６】図１の使用方法の説明図である。
【発明を実施するための形態】
以下、本発明の実施の形態について図１乃至図６に基づいて説明する。
【００１８】  （第１の実施の形態）
本発明の第１の実施の形態について図１乃至図３に基づいて説明すると、
１は上面開口のケース２と、上面開口の垂直な保持穴３を穿設した四角柱状の基台４と、先端にシールドノズル５の内径より若干小径のスパッタ除去用の研磨部６を設けるとともに、研磨部６と段差部７を持ってシールドノズル５の外形より大径の太径部８を設け、さらに、太径部８と段差部９を持って、大径部より小径で、前記基台の保持穴３より若干小径の挿入部１０を設けた、円柱状の研磨部材１１とからなるクリーナであり、クリーナ１は基台４をボルト１２にてケース２に取付け固定するとともに、研磨部材１１の挿入部１０を基台４の保持穴３に挿入し、ボルト１３にて研磨部材１１を基台４に垂直に抜けないように保持している。
【００１９】  １４は、スパッタの付着を防止するためにシールドノズルに塗布する、潤滑剤等の付着防止液１５を、上開口のケース１６に入れた付着防止液部であり、付着防止液１５は超極圧潤滑剤であることが望ましい。
【００２０】  １７は、シールドノズル５に塗布された付着防止液１５を吸着するための液吸着部であり、液吸着部１７は、スポンジ１８を網１９によって形を整えている。
【００２１】  ２０は前記クリーナ１と付着防止液部１４と液吸着部１７を並べて設置するためのトレーである。
【００２２】  次に、本発明のクリーナ装置の使用方法を説明すると、まず、図３に示すように、シールドノズル５を先端より、研磨部材１１の研磨部６がシールドノズル５の内部に押込まれるようにシールドノズル５を押込み、シールドノズル５の先端を、研磨部材６太径部８との段差部７に当接させた後に、シールドノズル５を引抜くことにより、シールドノズル５に付着したスパッタ２１を除去する、
【００２３】  この後、シールドノズル５を付着防止液部１４の付着防止液１５に工具、手等にて浸けてシールドノズル５に付着防止液１５を塗布する。さらに、引き上げたシールドノズル５を液吸着部１７のスポンジ１８に押付けることにより過剰に塗布された付着防止液１５はスポンジ１８に吸着される。
【００２４】  本発明は、前記実施の形態に限定されるものではなく、例えば、クリーナ１のケース２や液塗布部のケース１６はトレー２０と一体に形成又はトレー２０に固着しても良く、また、スポンジは形を整える網の無いものでもよく、さらに、シールドノズル５のクリーナ１はコンタクトチップのクリーナでも良い。
【００２５】  （第２の実施の形態）
第２の実施の形態について、図４乃至図６に基づいて説明すると、クリーナ１、付着防止液部１４、液吸着部１７、及びトレー２０からなるクリーナ装置は、前記第１の実施の形態と同一であるので同一部品に同一番号を付すことにより説明を省略する。
【００２６】  ２１はクリーナ装置を位置決めして取付ける上面の４角に位置決め片２２を形成するとともに、両端の略中央に取付け孔２３を形成した取付け金具であり、取付け金具２１はクリーナ装置を必要な場所に取付け孔２３を用いてねじ等にて取付けるものである。
【００２７】  次に、第２の実施の形態のクリーナ装置を使用してのスパッタの除去及び付着防止処理の方法について説明すると、前記第１の実施の形態と同様な処理方法の他、図６に示すように、アーク溶接装置の近傍に取付け金具２１にて取付け、一定時間溶接した後、アーク溶接装置のトーチ２４の先端のシールドノズル２５を研磨部材１１の研磨部６が内部に押込まれるように押込み、シールドノズル２５の先端を、研磨部材６の太径部８との段差部７に当接させてスパッタを除去するとともに、コンタクトチップ２６は研磨部材６の内部に押込まれ、シールドノズル２５と同時にスパッタを除去するのでシールドノズル２５を引抜くようにトーチ２４を引き上げるとシールドノズル２５及びコンタクトチップ２６に付着したスパッタは除去される。
【００２８】  この後、トーチ２４を移動してシールドノズル２５、コンタクトチップ２６を図６の１点鎖線で示すように、付着防止液部１４の付着防止液１５に浸けてシールドノズル２５、コンタクトチップ２６に付着防止液１５を塗布する。さらに、引き上げたトーチ２４のシールドノズル２５、コンタクトチップ２６を液吸着部１７のスポンジ１８に押付けることにより過剰に塗布された付着防止液１５をスポンジ１８に吸着させる。
【００２９】  以上のシールドノズル２５、コンタクトチップ２６に付着したスパッタの除去及び付着防止処理はロボットアーク溶接装置であれば、自動で行うことができる。
【００３０】  以上のように、シールドノズル５、２５又はコンタクトチップ２６に付着したスパッタを除去した後、シールドノズル５、２５又はコンタクトチップ２６をスパッタ付着防止液１５に浸けて付着防止液１５を塗布することによりシールドノズル５、２５又はコンタクトチップ２６からスパッタを除去した後、直ちに付着防止液１５を塗布することができるので、常に簡単に付着防止処理を施すことができ、シールドノズル５、２５又はコンタクトチップ２６のスパッタ除去作業の間隔を長くすることができるとともに、スパッタの付着力も小さいのでスパッタ除去作業も弱い力で簡単にでき、研磨部材１１の材質を、シールドノズル５、２５やコンタクトチップ２６の材質である銅、銅合金等より軟質のアルミニューム、ポリテトラフルオロエチレン、ベークライト等とすることができるので、シールドノズル５、２５やコンタクトチップ２６を傷つける恐れがない。
【００３１】  また、トーチ２４に取付けられたシールドノズル５、２５とコンタクトチップ２６を、前記のようにスパッタを除去した後、スパッタ付着防止液１５に浸けて付着防止液１５を塗布することによりシールドノズル５、２５とコンタクトチップ２６を同時に処理できる。
【００３２】  また、シールドノズル５、２５とコンタクトチップ２６に過剰に塗布された前記付着防止液１５を液吸着部１７にて吸着させるので、シールドノズル５、２５、コンタクトチップ２６に塗布された余分のスパッタ付着防止液１５を吸着させて簡単に除去することができる。
【００３３】  また、シールドノズル５、２５、コンタクトチップ２６に付着したスパッタを除去するクリーナ１と、スパッタを除去したシールドノズル５、２５、コンタクトチップ２６に付着防止液１５を塗布するための付着防止液部１４を設けたので、常に簡単に付着防止処理を施すことができ、シールドノズル５、２５、コンタクトチップ２６等のスパッタ除去作業の間隔を長くすることができるとともに、スパッタの付着力も小さいのでスパッタ除去作業も弱い力で簡単にでき、シールドノズル５、２５やコンタクトチップ２６を傷つける恐れがない。
【００３４】  また、前記シールドノズル５、２５、コンタクトチップ２６に塗布された前記付着防止液１５を吸着するための液吸着部１７を設けたので、シールドノズル５、２５、コンタクトチップ２６に塗布された余分のスパッタ付着防止液１５を吸着させて簡単に除去することができる。
【符号の説明】
【００３５】  １  クリーナ
２  ケース
５  シールドノズル
６  研磨部
１１  研磨部材
１４  付着防止液部
１５  付着防止液
１６  ケース
１７  液吸着部
１８  スポンジ
１９  網
２０  トレー
２１  取付け金具
２２  位置決め片
２４  トーチ
２５  シールドノズル
２６  コンタクトチップ
【図１】
2019072767.tif 000003
【図２】
2019072767.tif 000004
【図３】
2019072767.tif 000005
【図４】
2019072767.tif 000006
【図５】
2019072767.tif 000007
【図６】
2019072767.tif 000008
【図７】
2019072767.tif 000009
【手続補正書】
【提出日】平成30年11月19日(2018.11.19)
【手続補正１】
【補正対象書類名】明細書
【補正対象項目名】００１７
【補正方法】変更
【補正の内容】
【００１７】
【図１】本発明の第１の実施の形態を示す正面図である。
【図２】図１の平面図である。
【図３】図１のクリーナの使用方法の説明図であり、（イ）はシールドノズルを押込む前の状態の図であり、（ロ）はシールドノズルを押込んだ状態の図である。
【図４】第２の実施の形態を示す正面図である。
【図５】図４の平面図である。
【図６】図１の使用方法の説明図である。
【図７】従来例を示す切欠き図である。